(57)【要約】【課題】メレンゲスプーンとして使用可能なカップ食品用容器の蓋材の提供【解決手段】  カップ食品用容器の蓋材３は、シート状の基部３１を有し、基部３１の裏面３ａにはＹ字状の折り線４が設けられている。折り線４に沿って谷折りにすることにより、蓋材３をレンゲスプーンとして使用できる。【選択図】図２
2019006451.tif 000002
【特許請求の範囲】
【請求項１】
カップ食品用容器の蓋材であって、
シート状の基部を有し、基部の裏面と表面の少なくとも何れか一方にはＹ字状の折り線が設けられており、前記基部を前記折り線に沿って谷折り又は山折りすることによりレンゲスプーンとして使用可能な蓋材。
【請求項２】
前記折り線は、前記基部の中心又は中心近傍から放射状に延びる第１，第２及び第３の折り線からなり、前記第２の折り線に対する前記第３の折り線の角度は６５°〜７５°であることを特徴とする請求項１に記載の蓋材。
【請求項３】
前記基部の表面には、前記第１の折り線の中途部に対応する位置から前記第２の折り線とは逆方向に前記基部の周縁に向かって延びる第４の折り線が設けられていることを特徴とする請求項２に記載の蓋材。
【請求項４】
前記折り線はエンボス線、印刷線、半切り加工線の何れかであることを特徴とする請求項１〜３の何れかに記載の蓋材。
【請求項５】
食品入りの容器と、前記容器の上開口を覆う請求項１〜４の何れかに記載の蓋材と、を備えるカップ食品。
【発明の詳細な説明】
【技術分野】
【０００１】
本発明は、レンゲスプーンとして使用可能なカップ食品用容器の蓋材と、これを用いたカップ食品に関する。
【背景技術】
【０００２】
一般的なカップ入りのインスタント食品は、シート状の蓋を容器から半分程度剥がして熱湯を注ぎ、蓋を閉じて所定時間待つことで食べ頃に加熱され、その後に蓋を剥がして食されるようになっている。
【先行技術文献】
【特許文献】
【０００３】
【特許文献１】特開平５−１６２８２号公報
【発明の概要】
【発明が解決しようとする課題】
【０００４】
例えばカップ麺を箸で食べようとすると、汁が飛び散り服を汚してしまうことがある。また、幼児等には火傷防止のために食品を一旦冷ましてから与えることがあるが、箸だけでは冷ましにくい。一方、レンゲスプーンに食品を載せて食べれば汁の飛び散りを抑制できる。また、レンゲスプーンに食品を載せれば簡単に食品を冷ますことができ、そのまま幼児の口に運ぶこともできる。しかしながら、野外で食べる場合等、必ずしも手元にレンゲスプーンがあるとは限らず、レンゲスプーンを使用したくても使用できない場合があった。
【０００５】
そこで本発明は、メレンゲスプーンとして使用可能なカップ食品用容器の蓋材及びこれを用いたカップ食品の提供を目的とする。
【課題を解決するための手段】
【０００６】
本発明の蓋材は、カップ食品用容器の蓋材であって、シート状の基部を有し、基部の裏面と表面の少なくとも何れか一方にはＹ字状の折り線が設けられており、前記基部を前記折り線に沿って谷折り又は山折りすることによりレンゲスプーンとして使用可能であることを特徴とする。
【０００７】
また、本発明のカップ食品は、食品入りの容器と、前記容器の上部開口を覆う上記蓋材と、を備えることを特徴とする。
【発明の効果】
【０００８】
本発明の蓋材には折り線が設けられているので、この折り線を目印又はガイドに折ることで蓋材をメレンゲスプーンとして用いることができる。よって、周囲にメレンゲスプーンがない状況においても、蓋材をメレンゲスプーンとして使用することで汁の飛び散りを防止したり、食品を簡単に冷ましたりすることができる。
【図面の簡単な説明】
【０００９】
【図１】本発明の実施形態に係るカップ食品を示す斜視図。
【図２】図１に示すカップ食品で用いられる蓋材の平面図であって、（ａ）は裏面、（ｂ）は表面を示す図。
【図３】図２に示す蓋材の折り方を説明する図。
【発明を実施するための形態】
【００１０】
以下、添付図面を参照して、本発明の実施形態に係るカップ食品及びカップ食品用容器の蓋材について説明する。
【００１１】
図１を参照して、本実施形態に係るカップ食品１は、例えば即席カップ麺に代表されるカップ入り食品であって、食品（図示せず）が入った容器（カップ食品用容器）２の上縁に蓋材３が接着されている。蓋材３はシート状であって、円形の基部３１と、基部３１から径方向外方に延出する摘み３２と、が一体に形成されて構成されている。
【００１２】
容器２内の食品を食べるには、摘み３２を摘んで蓋材３を容器２から途中まで剥がし、所定量の熱湯を容器２内に注ぎ入れる。蓋材３を再び閉じて所定時間待つと、食品が食べ頃に加熱される。その後、蓋材３を剥がして食品を食べるが、このとき蓋材３を所要の通りに折ることにより蓋材３をレンゲスプーンとして用いることができる。
【００１３】
より具体的に、図２に示す様に、蓋材３の裏面３ａには、Ｙ字の折り線４が設けられている。この折り線４は、基部３１の中心Ｐ１又は中心Ｐ１近傍から放射状に延びる３本の折り線（第１の折り線４１、第２の折り線４２、第３の折り線４３）からなり、第２の折り線４２と第３の折り線４３は、第１の折り線４１を対称軸として互いに線対称とされている。また、蓋材３の表面３ｂには、く字型の折り線５が設けられている。この折り線５は、第１の折り線４１の中途部に対応する起点Ｐ２から第２及び第３の折り線４２,４３とは逆方向に蓋材３（基部３１）の周縁に向かって延びる２本の折り線（第４の折り線５１，第５の折り線５２）からなり、第４の折り線５１と第５の折り線５２とは、第１の折り線４１を対称軸として互いに線対称とされている。
【００１４】
そして、蓋材３をレンゲスプーンとして用いる場合には、まず蓋材３を折り線４に沿って谷折りにすることで、図３（ａ）に示す様に先端側に略三角錐状の空間部Ｓを有する立体形状を形成する。次に、当該立体形状の後端部を図３（ｂ）に示す様に折り線５に沿って片側に折り畳むことにより、メレンゲスプーン様の立体形状が出来上がる。
【００１５】
このように蓋材３を折ることで、使用者は図３（ｂ）に示す立体形状の後端部を把持し、食品を先端側の空間部Ｓに載せて食べることができる。即ち、当該立体形状の後端部は把持部Ｈとして機能し、空間部Ｓを規定する部分が食品を載せるためのすくい部Ｐとして機能する。
【００１６】
ここで、第２の折り線４２と第３の折り線４３のなす角度θ１は６５°〜７５°であるのが好ましい。６５°より小さいと、すくい部Ｐが狭くなりすぎて十分な量の食品を載せることができず、また７５°よりも大きいと、すくい部Ｐが広くなりすぎて安定感に欠ける。また、第４の折り線５１と第５の折り線５２のなす角度θ２は９０°〜１２０°であるのが好ましい。９０°より小さいと、汁物を載せた際に汁がこぼれる虞が高くなり、また１２０°よりも大きいと把持部Ｈが小さくなり持ちにくくなるためである。
【００１７】
このように、本実施形態に係るカップ食品１では、折り線４，５に沿って蓋材３を折ることにより蓋材３をメレンゲスプーンとして利用できる。また、蓋材３には折り線４，５が設けられているため、蓋材３を容易に所望の形状に折ることができる。
【００１８】
なお、折り線４，５としては、印刷線（実線や破線等）、エンボス線、或いは半切り加工線等であってよい。また、カップ食品１は即席カップ麺に限定されない。
【００１９】
以上、本発明の実施形態に係るカップ食品及びカップ食品用容器の蓋材について添付の図面を参照して説明したが、本発明はかかる実施形態に限定されず、本発明の範囲を逸脱することなく種々の変形、修正が可能である。
【００２０】
例えば、第４の折り線５１及び／又は第５の折り線５２を省略することもできる。また、第４の折り線５１及び／又は第５の折り線５２を表面３ｂに代えて／或いは表面３ｂに加えて裏面３ａに設けてもよい。
【００２１】
更に、上記実施形態においては、蓋材３の裏面３ａにＹ字の折り線４を設けたが、Ｙ字の折り線を蓋材３の裏面３ａに代えて表面３ｂに設けても良い。この場合、蓋材３をＹ字の折り線に沿って山折りにすればよい。或いは、折り線４を蓋材３の裏面３ａと表面３ｂの両方に設けても良い。
【００２２】
また、上記実施形態においては、第４及び第５の折り線５１,５２の起点Ｐ２を第１の折り線４１の中途部としたが、起点Ｐ２はこのような第１の折り線４１の中途部に限定されず、当該中途部と中心Ｐ１の間の任意の位置とすることができ、基部３１の中心Ｐ１を起点Ｐ２としても良い。このとき、蓋材３（基部３１）の径が大きい程、起点Ｐ２の位置を中心Ｐ１寄りとし、径が小さい程、起点Ｐ２の位置を中心Ｐ１から離隔させることにより、蓋材３の大きさが異なっても把持しやすいメレンゲスプーン様の立体形状が得られる。
【符号の説明】
【００２３】
１  カップ食品
２  容器（カップ食品用容器）
３  蓋材
４  折り線
５  折り線
Ｈ  把持部
Ｐ  すくい部
【図１】
2019006451.tif 000003
【図２】
2019006451.tif 000004
【図３】
2019006451.tif 000005